【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
複数の圧電アクチュエータの少なくとも１つに少なくとも１つの波形入力信号を選択的に接続する少なくとも２つのスイッチを有する液滴射出デバイスを制御する方法において、
液滴発射期間中、前記圧電アクチュエータの少なくとも１つを前記少なくとも１つの波形入力信号で選択的に駆動するように前記少なくとも２つのスイッチを制御する工程、及び
非発射期間中、該非発射期間中の実質的に全てに亘り、前記圧電アクチュエータの少なくとも１つを定電圧レベルで駆動するように前記少なくとも２つのスイッチを制御する工程、
を含むことを特徴とする方法。
【請求項２】
前記少なくとも２つのスイッチの制御が相異なる２つの制御信号を用いて行われることを特徴とする請求項１に記載の方法。
【請求項３】
前記圧電アクチュエータの少なくとも１つを前記少なくとも１つの波形入力信号で駆動するように前記少なくとも２つのスイッチを制御するためにチャネル制御信号を用いる工程及び前記圧電アクチュエータの少なくとも１つを前記定電圧レベルで駆動するように前記少なくとも２つのスイッチを制御するためにクランプ制御信号を用いる工程をさらに含むことを特徴とする請求項１に記載の方法。
【請求項４】
前記液滴射出デバイスがオフであるときに、前記圧電アクチュエータの少なくとも１つへの電荷の蓄積を防止するために前記クランプ制御信号を用いる工程をさらに含むことを特徴とする請求項３に記載の方法。
【請求項５】
前記液滴射出デバイスがオフであるときに、前記圧電アクチュエータからの電荷の漏洩を防止するために前記クランプ制御信号を用いる工程をさらに含むことを特徴とする請求項３に記載の方法。
【請求項６】
圧電電圧ドリフトを防止するために前記チャネル制御信号または前記クランプ制御信号を選択する工程をさらに含むことを特徴とする請求項３に記載の方法。
【請求項７】
前記少なくとも２つのスイッチを制御するための単一駆動信号を生成するために前記チャネル制御信号と前記クランプ制御信号を論理結合する工程をさらに含むことを特徴とする請求項３に記載の方法。
【請求項８】
前記チャネル制御信号と前記クランプ制御信号をＯＲゲートの入力端子に接続する工程をさらに含むことを特徴とする請求項７に記載の方法。
【請求項９】
前記ＯＲゲートの出力端子が前記スイッチを制御するための単一駆動信号を有することを特徴とする請求項８に記載の方法。
【請求項１０】
前記非発射期間中、前記圧電アクチュエータの少なくとも１つにかかる電圧が接地電位と電源電位の中間の範囲にあることを特徴とする請求項１に記載の方法。
【請求項１１】
前記少なくとも２つのスイッチを並列に電気的に接続する工程をさらに含み、
前記少なくとも２つのスイッチを制御する工程が、各スイッチを通じて異なる波形を印加し、前記圧電アクチュエータの少なくとも１つを、印加された波形の重畳で選択的に駆動する工程を含むことを特徴とする請求項１に記載の方法。
【請求項１２】
前記波形入力信号の傾斜を、前記スイッチの少なくとも１つに接続された抵抗器を調節することによって、調節する工程をさらに含むことを特徴とする請求項１に記載の方法。
【請求項１３】
前記少なくとも２つのスイッチを制御する工程が、前記圧電アクチュエータの少なくとも１つを、前記波形入力信号で選択的に駆動するように、並列に電気的に接続された前記スイッチの少なくとも３つを制御する工程を含むことを特徴とする請求項１に記載の方法。
【請求項１４】
複数の圧電アクチュエータに波形入力信号を選択的に接続する複数のスイッチを有する液滴射出デバイスを制御する方法において、
液滴発射期間中、前記圧電アクチュエータを前記波形入力信号で選択的に駆動するように前記複数のスイッチを制御する工程、及び
非発射期間中、該非発射期間中の実質的に全てに亘り、前記圧電アクチュエータの全てを定電圧レベルで駆動するように前記複数のスイッチを制御する工程、
を含み、
前記複数のスイッチが２進加重スイッチを含むことを特徴とする方法。
【請求項１５】
液滴射出デバイスのための装置において、
複数の圧電アクチュエータ、
少なくとも１つの波形入力信号を前記圧電アクチュエータの少なくとも１つに選択的に接続するための少なくとも２つのスイッチ、及び
液滴発射期間中は前記圧電アクチュエータの少なくとも１つを前記少なくとも１つの波形入力信号で選択的に駆動し、非液滴発射期間中は、該非発射期間中の実質的に全てに亘り、前記圧電アクチュエータの少なくとも１つを定電圧レベルで駆動するように、前記少なくとも２つのスイッチを制御するために構成されたコントローラ、
を備えることを特徴とする装置。
【請求項１６】
前記少なくとも２つのスイッチが、前記少なくとも１つの波形入力信号と接続するための入力端子、前記圧電アクチュエータの少なくとも１つと接続するための出力端子及び第１の制御信号または第２の制御信号を用いて前記少なくとも２つのスイッチの電気的接続を制御するための制御信号端子を有し、前記第２の制御信号が前記スイッチを制御するときに前記少なくとも１つの波形入力信号が前記低電圧レベルを有することを特徴とする請求項１５に記載の装置。
【請求項１７】
前記コントローラが前記スイッチの前記制御信号端子に接続されており、前記コントローラが、前記少なくとも２つのスイッチを制御するために前記第１の制御信号及び前記第２の制御信号を用いることを特徴とする請求項１６に記載の装置。
【請求項１８】
前記コントローラが、前記少なくとも２つのスイッチの前記制御信号端子に前記第１の制御信号または前記第２の制御信号を論理接続するためのＯＲゲートを有することを特徴とする請求項１７に記載の装置。
【請求項１９】
前記ＯＲゲートの第１の入力が前記第１の制御信号に接続され、前記ＯＲゲートの第２の入力が前記第２の制御信号に接続され、前記ＯＲゲートの出力が前記少なくとも２つのスイッチの前記制御信号端子に接続されることを特徴とする請求項１８に記載の装置。
【請求項２０】
前記液滴射出デバイスの非液滴発射期間中は、前記第２の制御信号が前記少なくとも２つのスイッチの電気的接続を制御することを特徴とする請求項１６に記載の装置。
【請求項２１】
前記液滴射出デバイスの発射期間中は、前記第１の制御信号が前記少なくとも２つのスイッチの電気的接続を制御することを特徴とする請求項１６に記載の装置。
【請求項２２】
前記少なくとも２つのスイッチが、並列に電気的に接続されており、各スイッチを通じて異なる波形を受け取り、前記圧電アクチュエータの少なくとも１つを、受け取られた異なる波形の重畳で選択的に駆動するように構成されていることを特徴とする請求項１５に記載の装置。
【請求項２３】
前記スイッチの少なくとも１つに並列に電気的に接続された抵抗器をさらに含み、該抵抗器が、前記波形入力信号の傾斜に影響を与えるように構成されていることを特徴とする請求項１５に記載の装置。
【請求項２４】
前記少なくとも２つのスイッチが、前記波形入力信号を前記圧電アクチュエータの少なくとも１つに選択的に結合するように並列に電気的に接続された少なくとも３つのスイッチを含むことを特徴とする請求項１５に記載の装置。
【請求項２５】
インクジェットプリンタの複数の圧電アクチュエータにかかる電圧のドリフトを防止するためのシステムにおいて、前記システムが、
少なくとも１つの電圧波形を駆動するための波形駆動回路、
前記波形駆動回路を前記複数の圧電アクチュエータの少なくとも１つに電気的に接続するための少なくとも２つのスイッチ、及び
インク射出段階中に前記圧電アクチュエータの少なくとも１つを選択的に駆動し、非インク射出段階中に、該非発射期間中の実質的に全てに亘り、前記電圧アクチュエータの全てを駆動するために、前記少なくとも２つのスイッチを制御するためのコントローラ、
を備え、
前記非インク射出段階中に前記波形駆動回路が定電圧波形を駆動することを特徴とするシステム。
【請求項２６】
前記インク射出段階中及び前記非インク射出段階中に、前記コントローラが、前記少なくとも２つのスイッチの入力にある前記波形駆動回路を前記少なくとも２つのスイッチの出力にある前記圧電アクチュエータの少なくとも１つと電気的に接続するように構成されることを特徴とする請求項２５に記載のシステム。
【請求項２７】
前記コントローラが、いつ前記少なくとも２つのスイッチが前記圧電アクチュエータの少なくとも１つを前記波形駆動回路からの前記少なくとも１つの電圧波形と電気的に接続しているかを制御するための第１の制御信号を有することを特徴とする請求項２５に記載のシステム。
【請求項２８】
前記コントローラが、前記非インク射出段階中に前記少なくとも２つのスイッチの入力にある前記波形駆動回路を前記少なくとも２つのスイッチの出力にある前記圧電アクチュエータの少なくとも１つと電気的に接続するように前記少なくとも２つのスイッチを制御するための第２の制御信号を有することを特徴とする請求項２５に記載のシステム。
【請求項２９】
インクジェットプリンタの複数の圧電アクチュエータにかかる電圧のドリフトを防止するためのシステムにおいて、前記システムが、
電圧波形を駆動するための波形駆動回路、
前記波形駆動回路を前記複数の圧電アクチュエータの少なくとも１つに電気的に接続するための少なくとも２つのスイッチ、及び
インク射出段階中に前記圧電アクチュエータの少なくとも１つを選択的に駆動し、非インク射出段階中に、該非発射期間中の実質的に全てに亘り、前記電圧アクチュエータの全てを駆動するために、前記少なくとも２つのスイッチを制御するためのコントローラ、
を備え、
前記非インク射出段階中に前記波形駆動回路が定電圧波形を駆動し、前記複数のスイッチが２進加重スイッチを含むことを特徴とするシステム。
【請求項３０】
前記スイッチの少なくとも１つに並列に電気的に接続された抵抗器をさらに含み、該抵抗器が、前記波形入力信号の傾斜に影響を与えるように構成されていることを特徴とする請求項２９に記載のシステム。
【請求項３１】
前記少なくとも２つのスイッチが、前記波形入力信号を前記圧電アクチュエータの少なくとも１つに選択的に結合するように並列に電気的に接続された少なくとも３つのスイッチを含むことを特徴とする請求項２９に記載のシステム。
【請求項３２】
前記少なくとも２つのスイッチが、並列に電気的に接続されており、各スイッチを通じて異なる波形を受け取り、前記圧電アクチュエータの少なくとも１つを、受け取られた異なる波形の重畳で選択的に駆動するように構成されていることを特徴とする請求項２９に記載のシステム。
【請求項３３】
液滴射出デバイスのための装置において、
複数の圧電アクチュエータ、
波形入力信号を前記圧電アクチュエータの少なくとも１つに選択的に接続するための少なくとも２つのスイッチ、及び
液滴発射期間中は前記圧電アクチュエータの少なくとも１つを前記波形入力信号で選択的に駆動し、非液滴発射期間中は、該非発射期間中の実質的に全てに亘り、前記圧電アクチュエータの少なくとも１つを定電圧レベルで駆動するように、前記少なくとも２つのスイッチを制御するために構成されたコントローラ、
を備え、
前記複数のスイッチが２進加重スイッチを含むことを特徴とする装置。